(57)【特許請求の範囲】
【請求項１】
マッサージ機本体と、この本体の幅方向に対応する両端を有して前記マッサージ機本体に取付けられ空気の給排気により膨張・収縮する複数の空気袋と、この空気袋に給排気される空気を導く導管と、この導管と連通して設けられた空気分配器と、この空気分配器に接続されたポンプと、入力部を有して、この入力部からの指令で前記ポンプ及び前記空気分配器の動作を制御する制御装置とを具備するエアーマッサージ機において、
前記ポンプ、空気分配器、及び導管からなる給排気系統を第１、第２の２系統とするとともに、前記各空気袋が前記両端に設けられた一対の給排気口を有し、その内の一方の給排気口に前記第１給排気系統の導管を接続するとともに、他方の給排気口に前記第２給排気系統の導管を接続し、前記入力部で前記空気袋が所定の圧力に達するまでに要する時間の長短を指令するようにしたことを特徴とするエアーマッサージ機。
【請求項２】
マッサージ機本体と、この本体の幅方向に対応する両端を有して前記マッサージ機本体に取付けられ空気の給排気により膨張・収縮する複数の空気袋と、この空気袋に給排気される空気を導く導管と、この導管と連通して設けられた空気分配器と、この空気分配器に接続されたポンプと、入力部を有して、この入力部からの指令で前記ポンプ及び前記空気分配器の動作を制御する制御装置とを具備するエアーマッサージ機において、
前記ポンプ、空気分配器、及び導管からなる給排気系統を第１、第２の２系統とするとともに、前記各空気袋が前記両端に設けられた一対の給排気口を有し、その内の一方の給排気口に前記第１給排気系統の導管を接続するとともに、他方の給排気口に前記第２給排気系統の導管を接続し、
第１給排気系統のポンプに第２給排気系統のポンプよりも流量が大きくかつ圧力が低い性能のポンプを用いるとともに、前記第２給排気系統のポンプに前記第１給排気系統のポンプよりも流量が小さくかつ圧力が高い性能のポンプを用い、
前記入力部で前記空気袋による圧迫力の強弱を指令するようにしたことを特徴とするエアーマッサージ機。
【発明の詳細な説明】
【０００１】
【発明の属する技術分野】
本発明は、複数の空気袋を膨張・収縮させて使用者の被施療部をマッサージするマット式又は椅子式等のエアーマッサージ機に関する。
【０００２】
【従来の技術】
エアーマッサージ機は、圧縮空気を生成するポンプと、このポンプの吐出し口にエアーホースを介して接続されたロータリー弁からなる一つの空気分配器と、この分配器に接続された導管とを介して、マッサージ機本体に取付けられた複数の空気袋に対して一つずつ順に空気を給排気して空気袋を膨脹・収縮させ、それによりマッサージをするものである。従来は前記のように圧縮空気を空気袋に給排気するための給排気系統は１系統だけであって、当然のことながらポンプは１台しか備えられていない。
【０００３】
【発明が解決しようとする課題】
給排気系統が単一の従来においては、各空気袋を膨脹・収縮させる際に、膨脹する空気袋が被施療部に対する圧迫力を発揮する所定の圧力に達するまでの膨脹に要する時間（以下要膨脹時間と略称する。）が、単一のポンプの能力だけに依存している。そのため、ポンプの能力に応じて前記要膨脹時間は一定である。ところで、エアーマッサージにおいて、前記要膨脹時間を変えることができれば、マッサージの態様を増やすことができ、それを使用者の好みによって選択できる。しかし、このようなことは従来のエアーマッサージ機では満たすことができず、その改善が望まれている。
【０００４】
又、従来は空気袋の膨脹度合いも単一ポンプの能力に依存しているので、その膨脹に伴って被施療部に与える圧迫力も一定である。ところで、エアーマッサージにおいて、前記圧迫力を変えることができれば、マッサージの態様を増やすことができ、それを使用者の好みによって選択できる。しかし、このようなことは従来のエアーマッサージ機では満たすことができず、その改善が望まれている。
【０００５】
本発明が解決しようとする課題は、マッサージ態様を増加できるエアーマッサージ機を得ることにある。
【０００６】
【課題を解決するための手段】
本発明は、マッサージ機本体と、この本体の幅方向に対応する両端を有して前記マッサージ機本体に取付けられ空気の給排気により膨張・収縮する複数の空気袋と、この空気袋に給排気される空気を導く導管と、この導管と連通して設けられた空気分配器と、この空気分配器に接続されたポンプと、入力部を有して、この入力部からの指令で前記ポンプ及び前記空気分配器の動作を制御する制御装置とを具備するエアーマッサージ機を前提とする。
【０００７】
そして、前記課題を解決するために、請求項１に係る発明は、前記ポンプ、空気分配器、及び導管からなる給排気系統を第１、第２の２系統とするとともに、前記各空気袋が前記両端に設けられた一対の給排気口を有し、その内の一方の給排気口に前記第１給排気系統の導管を接続するとともに、他方の給排気口に前記第２給排気系統の導管を接続し、前記入力部で前記空気袋が所定の圧力に達するまでに要する時間の長短を指令するようにしたことを特徴とするものである。
【０００８】
この発明及び以下の各発明において、例えばポリエチレン樹脂等の合成樹脂又はゴム等で成形される空気袋はマッサージ機本体に対して直接固定されていても、又は、カバー袋に収容して、このカバー袋をマッサージ機本体に固定することによって取付けてもよい。各導管は、軟質塩化ビニル、又はゴムやシリコンゴム等のエラストマ製とすることができ、或いは硬質合成樹脂や金属等で作ることができる。しかも、両空気分配器および両ポンプは、マッサージ機本体にエアーホースを介して接続し前記マッサージ機本体とは別置きのエアー給排気ユニットを構成してもよい。この発明及び以下の各発明はマット式又は椅子式等のエアーマッサージ機に適用できる。
【０００９】
この請求項１の発明においては、マッサージ機本体に取付けられた空気袋に対して、第１、第２の給排気系統のポンプを同時に駆動させることによって、各給排気系統から同時に給気し短かい要膨脹時間で前記空気袋を所定圧力にまで膨脹させることができるとともに、一方の給排気系統を選択してそのポンプを駆動させることによって、選択された前記一方の給排気系統からの給気による前記短かい要膨脹時間よりも長い要膨脹時間で前記空気袋を所定圧力にまで膨脹させることができる。このように使用する給排気系統の数を選択することで、それに応じた要膨脹時間で空気袋を所定圧力にまで膨脹させることができる。
【００１１】
又、前記課題を解決するために、請求項２に係る発明は、前記ポンプ、空気分配器、及び導管からなる給排気系統を第１、第２の２系統とするとともに、前記各空気袋がその長手方向両端に設けられた一対の給排気口を有し、その内の一方の給排気口に前記第１給排気系統の導管を接続するとともに、他方の給排気口に前記第２給排気系統の導管を接続し、第１給排気系統のポンプに第２給排気系統のポンプよりも流量が大きくかつ圧力が低い性能のポンプを用いるとともに、前記第２給排気系統のポンプに前記第１給排気系統のポンプよりも流量が小さくかつ圧力が高い性能のポンプを用い、前記入力部で前記空気袋による圧迫力の強弱を指令するようにしたことを特徴とするものである。
【００１２】
この請求項２の発明においては、ポンプ性能が異なる２系統の給排気系統の選択使用の他に、第１給排気系統を先に動作させてから、ある時間を置いて第２給排気系統を動作させる時間差駆動をする場合とそうしない場合とに使用形態を切換えることができる。前記時間差駆動の場合には、はじめに第１給排気系統のポンプの大きな吐出し流量により空気袋を素早く膨脹させてから、その状態において第２給排気系統から高圧の空気を供給するので、空気袋の膨脹圧力が膨脹の最後に一気に高められて使用者により強い圧迫力を与えることができる。そして、このような時間差駆動を行なわないで第１給排気系統を選択して空気袋を膨脹させる場合には、空気袋の膨脹圧力が低いので前記圧迫力よりも低い力で使用者を圧迫する。このように性能が異なるポンプを有した第１、第２の給排気系統を使用することにより、使用者に与える圧迫力を２通りに変えることができる。
【００１３】
又、前記請求項１、２の発明では、前記空気袋が一対の給排気口を有し、その内の一方の給排気口に第１給排気系統の導管を接続するとともに、他方の給排気口に第２給排気系統の導管を接続しているので、両給排気系統を同時に駆動して空気袋に給気する場合等に、夫々の系統から導管を通して導かれる空気が、空気袋に入る前に合流して互いに干渉することがないから、合流に伴って生じる渦等による給気損失をなくすことができるとともに、円滑に空気袋への給気をなして速やかに空気袋を膨脹させることができる。
【００１５】
【発明の実施の形態】
以下、図１及び図２を参照して本発明の第１の実施の形態を説明する。
【００１６】
図１はマット式のエアーマッサージ機１１全体の構成を示しており、このマッサージ機１１は、マッサージ機本体としてのマット部１２と、複数の施療用空気袋１３Ａ〜１３Ｐがなす空気袋群と、空気袋１３Ａ〜１３Ｐと同数の導管１５Ａ〜１５Ｐがなす第１導管群と、同じく空気袋１３Ａ〜１３Ｐと同数の導管１６Ａ〜１６Ｐがなす第２導管群と、エアー給排気装置１７と、制御装置１８（図２参照）とを備えている。
【００１７】
マット部１２は、その上に横たわる使用者の身体を受けるマッサージ基板２１を備えている。この基板２１の裏面には裏打ちシート２２が取付けられ、又、マッサージ基板２１の両側部表面には夫々フレーム２３が取付けられているとともに、前記基板２１の長手方向一端部表面にはヘッドレスト２４が取付けられている。更に、マット部１２は、そのマッサージ基板２１、フレーム２３、ヘッドレスト２４、各空気袋１３Ａ〜１３Ｐ、及び前記基板２１の長手方向他端部表面に配置されたエアー給排気装置１７などを覆うマット部カバー２５を有しており、このカバー２５は取外し可能である。
【００１８】
マッサージ基板２１は、硬質材料で形成してもよいが、本実施形態では長手方向中央部で折り曲げできるように形成され、それにより、マット部１２が二つ折り可能で運搬や収納に便利なようになっている。裏打ちシート２２は自在に変形し得る布等からなる。フレーム２３及びヘッドレスト２４は夫々発泡体たとえば発泡ウレタン樹脂等で形成され、マット部１２の折り畳みをより容易にするためにフレーム２３は、マット部１２の長手方向中央部において分離されている。マット部カバー２５は自在に変形し得る布等からなり、その周縁部が取外し可能にマッサージ基板２１等に取付けられている。
【００１９】
ポリエチレン樹脂により一体に成形されて収縮した状態では平面視略長方形状をなす各空気袋１３Ａ〜１３Ｐは、一対の給排気口２６、２７を有している。これらの給排気口２６、２７は各空気袋１３Ａ〜１３Ｐの長手方向両端に分かれて設けられている。各空気袋１３Ａ〜１３Ｐは、給排気口２６、２７を通して給気されることにより膨脹するとともに、給排気口２６、２７を通して排気することにより収縮するものである。
【００２０】
各空気袋１３Ａ〜１３Ｐは、マッサージ基板２１の表面側に、この基板２１の長手方向に沿って一定間隔で並べて、マット部１２の幅方向中央部に空気袋列をなしてマット部１２の幅方向に関して対称に取付けられている。これらの空気袋１３Ａ〜１３Ｐは、マット部１２に横たわった使用者の肩部から下肢にわたる範囲をエアマッサージできるように、互いに一部を重なり合わせることにより高密度にヘッドレスト２４とエアー給排気装置１７との間にわたって配置されている。
【００２１】
各空気袋１３Ａ〜１３Ｐのマッサージ基板２１への取付けは、これら空気袋１３Ａ〜１３Ｐの一側縁に一体に突設された取付け片２８およびマッサージ基板２１に亘って挿通するブッシュやビス等の固定部品又は接着剤（いずれも図示しない）を用いて行われ、その場合、各空気袋１３Ａ〜１３Ｐはその取付け片２８をヘッドレスト２４側に向けてマッサージ基板２１上に夫々取付けられている。
【００２２】
図１に示されるように前記エアー給排気装置１７は、マッサージ基板２１に固定された筐体３１と、この筐体３１に内蔵され例えば電磁駆動によりダイアフラムを動かしてポンプ作動を営む第１、第２のポンプ３２、３３と、これら両ポンプ３２、３３の吐出し口にエアーホースを介して個別に接続された第１、第２の空気分配器３４、３５とを備えている。第１、第２のポンプ３２、３３は例えば性能（流量及び圧力）が同じダイヤフラム式ポンプである。これら両ポンプ３２、３３を内蔵した筐体３１は前記長手方向一端部においてマット部１２の幅方向中央部に配置されている。第１空気分配器３４は前記長手方向一端部においてマット部１２の幅方向一端側に寄せて配置されており、同様に第２空気分配器３５は前記長手方向一端部においてマット部１２の幅方向他端側に寄せて配置されている。両分配器３４、３５は、そのいずれもが有した導管接続口３４ａ、３５ａを、マット部１２のヘッドレスト２４側つまり長手方向他端部側に向けて前記両位置に振分けて配置されている。なお、導管接続口３４ａはその内側に前記各導管１５Ａ〜１５Ｐと同数の接続口部（図示しない）を有しており、同様に導管接続口３５ａもその内側に前記各導管１６Ａ〜１６Ｐと同数の接続口部（図示しない）を有している。
【００２３】
第１、第２の空気分配器３４、３５は排気部を有するロータリー弁からなり、その弁体の回転動作に従い各空気袋１３Ａ〜１３Ｐに対する給気と排気とを担って、これら空気袋１３Ａ〜１３Ｐをその並び方向に沿って一つずつ順に膨脹・収縮させ、若しくは各空気袋１３Ａ〜１３Ｐを同時又は所望する空気袋を選択的に膨脹・収縮させるようになっている。
【００２４】
こうした膨脹・収縮を可能とするために１群の軟質塩化ビニル製導管１５Ａ〜１５Ｐは、その一端を第１空気分配器３４の導管接続口３４ａに夫々接続するとともに、他端を各空気袋１３Ａ〜１３Ｐの給排気口２６に個別に接続して、マット部１２の幅方向一端側に寄せて配管されている。したがって、第１ポンプ３２と、これに接続された空気分配器３４と、これに接続された導管１５Ａ〜１５Ｐとは、各空気袋１３Ａ〜１３Ｐに対して個々に空気を給排気するための第１給排気系統をなしている。
【００２５】
同様に、各空気袋１３Ａ〜１３Ｐの膨脹・収縮を可能とするために他群の軟質塩化ビニル製導管１６Ａ〜１６Ｐは、その一端を第２空気分配器３５の導管接続口３５ａに夫々接続するとともに、他端を各空気袋１３Ａ〜１３Ｐの給排気口２７に個別に接続して、マット部１２の幅方向他端側に寄せて配管されている。したがって、第２ポンプ３３と、これに接続された空気分配器３５と、これに接続された導管１６Ａ〜１６Ｐとは、各空気袋１３Ａ〜１３Ｐに対して個々に空気を給排気するための第２給排気系統をなしている。
【００２６】
エアー給排気装置１７の給排気動作を制御する制御装置１８（図２参照）は、エアー給排気装置１７の近傍に配置されたマイクロコンピュータ等からなる制御部１８ａと、これに接続された図示しないリモートコントローラ等の入力部１８ｂとを備え、入力部１８ｂは使用者等によって操作される。この制御装置１８は、入力部１８ｂからの操作入力で指定された各種の運転モードに応じて、前記両ポンプ３２、３３の駆動及び両空気分配器３４、３５の空気分配動作を制御する。前記入力部１８ｂは前記各運転モードにおいて空気袋の要膨脹時間の長短を選択する指令を入力することができる。
【００２７】
前記構成のエアーマッサージ機において、各空気袋１３Ａ〜１３Ｐをその並び方向に順に一つずつ膨脹・収縮させたり、所望位置の空気袋を選択して膨脹・収縮させて、エアーマッサージを行なう際に、使用者は、空気袋が所定の圧力に達するまで膨脹するのに要する時間（要膨脹時間）の長短を入力部１８ｂにより指示できる。
【００２８】
この入力操作により要膨脹時間を長く指定したときには、制御部１８ａでの制御により、前記第１、第２の給排気系統のうちのいずれか一方例えば第１給排気系統のみが駆動されて給排気動作を行い、第２給排気系統は駆動されることがない。この場合の給気動作においては、第１給排気系統の第１ポンプ３２が駆動されるだけであって、この第１ポンプ３２で生成された圧縮空気が、給気すべき空気袋に対してその給排気口２６のみを通して、第１空気分配器３４から導管１５Ａ〜１５Ｐのうちのいずれか経て供給される。そのため、給気される空気袋は、第１ポンプ３２の吐出し流量及び圧力に依存して、それ応じた第１要膨脹時間で所定圧力になるまで膨脹されるものであり、そこに至るまでに要する第１膨脹時間は次に説明する第２要膨脹時間よりも長い。そして、このような第１要膨脹時間を選択した場合には、全体としての膨脹・収縮回数が少なく、したがって、割合とゆっくりとしたエアーマッサージをすることができる。
【００２９】
又、入力部１８ｂでの入力操作により要膨脹時間を短く指定したときには、制御部１８ａでの制御により、前記第１、第２の給排気系統の性能が等しい第１、第２の両ポンプ３２、３３がいずれも同時に駆動されて給排気動作が行われる。そのため、給気すべき空気袋に対しては、第１ポンプ３２で生成された圧縮空気が、一方の給排気口２６に、第１空気分配器３４から導管１５Ａ〜１５Ｐのうちのいずれかを経て供給されるとともに、第２ポンプ３３で生成された圧縮空気が、他方の給排気口２７に、第２空気分配器３５から導管１６Ａ〜１６Ｐのうちのいずれかを経て供給される。すなわち、従来に比して２倍の能力で給気が行われるため、給気された空気袋が所定圧力になるまでに要する第２要膨脹時間を、前記第１要膨脹時間の半分と短くできる。そして、このような第２要膨脹時間を選択した場合には、全体としての膨脹・収縮回数が多くなり、したがって、割合と素早いエアーマッサージをすることができる。
【００３０】
このように使用者は各種運転モードにおいて、入力部１８ｂを操作して前記第１、又は第２の要膨脹時間を選択することにより、好みに応じた要膨脹時間で所望の空気袋を膨脹させて、所望のマッサージ態様を得て被施療部をエアーマッサージすることができる。
【００３１】
そして、各空気袋１３Ａ〜１３Ｐは夫々一対の給排気口２６、２７を有し、その内の一方の給排気口２６に第１給排気系統の導管１５Ａ〜１５Ｐのいずれかを接続するとともに、他方の給排気口２７に第２給排気系統の導管１６Ａ〜１６Ｐのいずれかを接続してあるから、前記のように両給排気系統を駆動して給気すべき空気袋に給気をする場合の給気損失を少なくできる。すなわち、両給排気系統の導管を合流させてから空気袋に給気をする場合には、その合流部において両給排気系統から送り込まれる圧縮空気が互いに干渉して渦等を生じるため、それによる給気損失が発生する。しかし、給気を合流させることなく互いに独立して空気袋に給気をするから、合流に基づく前記給気損失がなくなり、空気袋に円滑に給気ができ、それに伴い速やかに空気袋を膨脹させることができる。
【００３２】
図３は本発明の第２の実施の形態に係るマット式エアーマッサージ機を示している。この第２実施形態は、第１、第２の給排気系統が有するポンプ１３２、１３３の性能を異ならせ、そのために異種型式のポンプを採用している。具体的な一例を説明すれば、第１ポンプ１３２には吐出し圧力は低いが吐出し流量を大きく確保できるダイヤフラム式ポンプを採用し、かつ、第２ポンプ１３３には第１ポンプ１３２よりも吐出し圧力を高く確保できるが吐出し流量が小さいピストン式ポンプを採用している。又、制御装置１８の入力部１８ｂは空気袋による圧迫力の強弱を指定することができる。なお、以上の点以外は図３に示されない部分を含めて前記第１実施形態と同じであるので、同一部分には同じ符号を付してその作用効果とともに説明を省略する。
【００３３】
したがって、この第２実施形態においても第１実施形態と同様にいずれか一方の給排気系統のみを駆動して所望の空気袋を膨脹・収縮させる場合と、両給排気系統を同時に駆動して所望の空気袋を膨脹・収縮させる場合との選択により、空気袋の要膨脹時間を変えて本発明の課題を解決できる。なお、通常はこれらの運転において弱圧迫態様でエアーマッサージが行われる。
【００３４】
そして、この第２実施形態において入力部１８ｂで強圧迫態様を選択し指定したときには、両給排気系統が時間差をもって重複するように運転される。すなわち、制御部１８ａでの制御により、第２給排気系統の第２ポンプ１３３よりも流量が大きくかつ圧力が低い第１ポンプ１３２を有した第１給排気系統を先に動作させてから、ある時間を置いて第１給排気系統の第１ポンプ１３２よりも流量が小さくかつ圧力が高い第２ポンプ１３３を有した第２給排気系統が駆動される。この時間差駆動により、はじめに第１給排気系統の第１ポンプ１３２の大きな吐出し流量により給気すべき空気袋を早く膨脹させてから、その状態において第２給排気系統の第２ポンプ１３３から高圧空気が供給される。そのため、給気すべき空気袋の膨脹圧力が膨脹の最後に急激に高められて使用者により強い圧迫力を与えてマッサージをすることができる。この逆に、通常の使用では以上のような時間差駆動が行なわれることがないように制御部１８ａで制御するので、第１給排気系統を選択して空気袋を膨脹させる場合には、空気袋の膨脹圧力が低く、したがって、前記強い圧迫力よりも低い圧迫力を使用者に与えてマッサージをすることができる。このように第２実施形態では、性能が異なるポンプを有した第１、第２の給排気系統を使用することにより、使用者に与える圧迫力を２通りに変えることができる。したがって、被施療部に対し使用者の好みに応じて強弱いずれかの圧迫力を選択して、所望とするマッサージをすることができる。
【００３５】
又、前記第各実施形態においては、膨脹した空気袋からの排気を空気分配器で行なったが、これに代えて空気分配器はその排気部を省略して給排気の分配のみを担うようにし、排気はポンプで行なうようにしてもよい。この場合に、両給排気系統の内の一方のポンプで排気を担うことと、両給排気系統の夫々のポンプで同時に排気を担うこととを、入力部での入力操作により切換えるようにすることができる。このようにすると、ポンプの吸気能力を利用して空気袋から強制排気をすることができるので、排気時間をより短くできるものであり、かつ、それに加えて、一台のポンプで排気する場合と二台のポンプで排気する場合との２段階の排気時間を選択できるに伴い、エアーマッサージ機全体の膨脹・収縮回数、つまり、マッサージ回数を増やすことができる。更に、こうした実施において、一方の給排気系統を給気専用として使用し、他方の給排気系統を排気専用として使用することも可能である。このようにする場合には、両空気分配器での空気分配動作の制御とあいまって、ある空気袋を給気専用の給排気系統で膨脹させているときに、この空気袋に隣接して既に膨脹された空気袋等他の任意な膨脹済みの空気袋内の空気を排気専用の給排気系統で強制排気してこの空気袋を収縮させることができる。したがって、排気時間が短くなって、エアーマッサージ機全体の膨脹・収縮回数、つまり、マッサージ回数を増やすことができる。
【００３６】
なお、前記第各実施形態は夫々以上のように構成したが、これらの実施形態においてヘッドレスト側の空気袋に重ねて捻り用空気袋を一対追加してもよい。これら捻り用空気袋はマット部に横たわった使用者の肩甲骨部分に対応するようにマット部の長手方向に延びて配置されるとともに、これらの空気袋に接続された導管は前記第１、第２の導管群のいずれかに振分けられる。そして、これら捻り用空気袋の内のいずれか一方の膨脹により使用者の上体に捻りを与えることができ、この空気袋の膨脹において既述の要膨脹時間の選択又は時間差膨脹の選択等を適用できることは言うまでもない。又、本発明において要膨脹時間の選択及び時間差膨脹の選択等をいずれもできるように操作部で指示できるようにしてもよい。
【００３７】
【発明の効果】
請求項１、２に係る発明のエアーマッサージ機によれば、空気袋を所定圧力にまで膨脹するための要膨脹時間を変えたり、或いは、空気袋の膨脹に伴い使用者に与える圧迫力を変えたりできるので、マッサージの態様を多様化できる。
【図面の簡単な説明】
【図１】（Ａ）は本発明の第１の実施の形態に係るマット式エアーマッサージ機全体の構成を一部省略して示す平面図。
（Ｂ）は第１の実施の形態に係るエアーマッサージ機全体の構成を示す略縦断側面図。
【図２】図１に示されたエアーマッサージ機の構成を示す概略図。
【図３】本発明の第２の実施の形態に係るマット式エアーマッサージ機全体の構成を一部省略して示す平面図。
【符号の説明】
１１…マッサージ機
１２…マット部（マッサージ機本体）
１３Ａ〜１３Ｐ…空気袋
１５Ａ〜１５Ｐ…導管（第１給排気系統）
１６Ａ〜１６Ｐ…導管（第２給排気系統）
１７…エアー給排気装置
１８…制御装置
１８ａ…制御部
１８ｂ…入力部
２６、２７…給排気口
３２、１３２…第１ポンプ（第１給排気系統）
３３、１３３…第２ポンプ（第２給排気系統）
３４…第１空気分配器（第１給排気系統）
３５…第２空気分配器（第２給排気系統）
【図１】
0003742248.tif 000002
【図２】
0003742248.tif 000003
【図３】
0003742248.tif 000004